(57)【要約】【課題】  スタッキングしたときテーブルの脚が天板の外に突出することがなく、また、スタッキングのために施したテーブルの形態がスタッキング機能以外の機能を果すことができるようにしたテーブルを提供すること。【解決手段】  平面四角形の天板１と該天板１を支持した４本の脚3a〜3dを備えたテーブルにおいて、前記天板１の左右側辺1c，1dに平面から見て窪んだ部位1e，1fを形成して、当該天板１の左右幅を、その天板１の前端辺1a側と後端辺1b側で差異を持つように形成すると共に、当該天板下面の四隅部に脚を位置付けて設けてテーブルを形成し、このテーブルをスタックするとき、上位のテーブルの天板１の幅広側に位置した脚を下位のテーブルの幅狭側に位置した窪んだ部位の前端近傍に位置付けてスタッキングするようにしたこと。【選択図】図１
2008086671.tif 000002
【特許請求の範囲】
【請求項１】
平面四角形の天板と該天板を支持した４本の脚を備えたテーブルにおいて、前記天板の左右側辺に平面から見て窪んだ部位を形成して、当該天板の左右幅を、その天板の前端辺側と後端辺側で差異を持つように形成すると共に、当該天板下面の四隅部に脚を位置付けて設けてテーブルを形成し、このテーブルをスタックするとき、上位のテーブルの天板の幅広側に位置した脚を下位のテーブルの幅狭側に位置した窪んだ部位の前端近傍に位置付けてスタッキングするようにしたことを特徴とするスタッキングできるテーブル。
【請求項２】
２台以上のテーブルを天板同士を当接させて左右に並べるとき、天板の前後の向きを順次逆向きにして並べることにより、隣接した天板同士の対向する幅広側と幅狭側によって、配線などを通すための貫通した穴が形成されるようにした請求項１のスタッキングできるテーブル。
【請求項３】
４本の脚のうち少なくとも天板の幅狭側に配設した左右の脚にキャスタを設けた請求項１又は２のスタッキングできるテーブル。
【請求項４】
４本の脚は、天板下面に取付けた天板補強フレームに接続して設けた請求項１〜３のいずれかのスタッキングできるテーブル。
【請求項５】
補強フレーム、又は／及び、脚の上部の水平部分における下面側の天板の隅部寄りの少なくとも４箇所に、ゴム系又はプラスチック系の当接緩衝材を設けた請求項４のスタッキングできるテーブル。
【発明の詳細な説明】
【技術分野】
【０００１】
本発明は、平面視同形状の四角形天板を備えたスタッキングできるテーブル、より具体的にはスタックしたとき天板より外側へ脚がはみ出さないようにしたスタッキングできるテーブルに関する。
【背景技術】
【０００２】
従来からスタッキングできるようにしたテーブルや机乃至はこれらに類似したもの（以下、単にスタッキングできるテーブルという。）は、特許文献１や同２に記載されたものを始めとして公知であり、実用に供されているものもある。
【０００３】
しかし乍ら、従来のスタッキングできるテーブルは、脚が天板の外側にはみ出す（突出する）ため、見映えが優れないという難点がある。
また、従来のスタッキングできるテーブルは、スタックして積重ねることにより、場所を取らないように格納したり、複数台のテーブルを同時に移動させることに主眼を置いて開発，設計されたものが多いため、スタッキングするための形態が他の機能を発揮できるように工夫したものは、全く見当らない。
【特許文献１】特開２０００−９５５３１号公報
【特許文献２】登録実用新案第３１１４５８５号公報
【発明の開示】
【発明が解決しようとする課題】
【０００４】
そこで本発明は、スタッキングできる従来のテーブルにおける上述したような問題点に鑑み、スタッキングしたときテーブルの脚が天板の外に突出することがなく、また、スタッキングのために施したテーブルの形態がスタッキング機能以外の機能を果すことができるようにしたテーブルを提供することを、その課題とする。
【課題を解決するための手段】
【０００５】
上記課題を解決することを目的としてなされた本発明のスタッキングできるテーブルの構成は、平面四角形の天板と該天板を支持した４本の脚を備えたテーブルにおいて、前記天板の左右側辺に平面から見て窪んだ部位を形成して、当該天板の左右幅を、その天板の前端辺側と後端辺側で差異を持つように形成すると共に、当該天板下面の四隅部に脚を位置付けて設けてテーブルを形成し、このテーブルをスタックするとき、上位のテーブルの天板の幅広側に位置した脚を下位のテーブルの幅狭側に位置した窪んだ部位の前端近傍に位置付けてスタッキングするようにしたことを特徴とするものである。
【０００６】
本発明テーブルは、上記構成において、２台以上のテーブルを天板同士を当接させて左右に並べるとき、天板の前後の向きを順次逆向きにして並べることにより、隣接した天板同士の対向する幅広側と幅狭側によって、配線などを通すための貫通した穴が形成されるようにしたことも、特徴とする。
【０００７】
本発明テーブルは、上記構成に加え、例えば、４本の脚のうち少なくとも天板の幅狭側に配設した左右の脚にキャスタを設けることにより、部品点数を減じながらも保管等のための移動又はスタッキングのための移動に便利なようにすることができる。また、４本の脚は、天板裏面に取付けた天板の補強フレームに接続して設けると共に、該補強フレームにおける下面側の４箇所に、ゴム系又はプラスチック系の当接緩衝材を設けることにより、スタッキングしたとき、上位のテーブルの補強フレームの下面が下位テーブルの天板面を傷付けることがないようにすることができる。
【発明の効果】
【０００８】
本発明では、平面四角形の天板と該天板を支持した４本の脚を備えたテーブルにおいて、前記天板の左右側辺に平面から見て窪んだ部位を形成して、当該天板の左右幅を、その天板の前端辺側と後端辺側で差異を持つように形成すると共に、当該天板下面の四隅部に脚を位置付けて設けてテーブルを形成し、このテーブルをスタックするとき、上位のテーブルの天板の幅広側に位置した脚を下位のテーブルの幅狭側に位置した窪んだ部位の前端近傍に位置付けてスタッキングするようにしたので、スタックしたとき、天板の正面幅の外に脚を突出させることなくスタッキングすることができ、また、横方向に並べて使用するとき隣接する天板同士の前後の向きを互に逆にすることにより、隣接した天板同士の間に、配線などを通すための貫通穴が形成されるので、天板上でパソコンなどを使用する会議などの業務において、当該パソコン等の配線を見映えよく処理することができる。
【発明を実施するための最良の形態】
【０００９】
次に本発明テーブルの実施の形態例について、図を参照して説明する。
図１は本発明テーブルの一例における底面図、図２は図１のテーブルの背面（後面）図、図３は図２の右側面図、図４はスタッキング状態の一例の斜視図、図５は隣接した天板同士の当接部に形成される配線などを通す貫通穴の一例を示す斜視図である。
【００１０】
図１において、１は平面視（底面視の場合も同じ）ほぼ長方形状の天板で、図の例では、この天板１の前端辺1a（図１の上側）の全長より後端辺1bの全長が短くなるように、左右の側辺1c，1dが、前端辺1aに近い部分に適宜長さ（例えば60〜100mm位）を突出部１g，1hとして残し、図の例では後端辺1bまでを大略短冊状にカットすることにより、天板１の左右側に窪み1e，1fを形成している。
【００１１】
なお、本発明において、四角形の天板とは、直線の辺を有する四角形は勿論であるが、各辺又は対向する２つの辺が緩やかに膨出（凸状弯曲）した辺、或は、緩やかに凹陥（凹状に弯曲）した辺を有する四角形も含む天板の意である。また、この天板１の素材には、木質系，プラスチック系，金属系，これらを適宜併用したハイブリッド系など、任意の素材を用いることができる。
【００１２】
２は、上記天板１の裏面に配設した、ここでは一例として大略梯子状をなす天板１の補強フレームで、図示した例では天板１の裏面の長さ方向に沿った略中心部に設けられ、補強フレーム２の左右の両端部2aと2bが、当該天板１の裏面四隅に向けて放射状に延設された４本のフレーム放射状部2c〜2fに形成されている。
【００１３】
４本のフレーム放射状部2c〜2fは、その先端がほぼ垂直方向に曲げられて、曲げられた部位の下方（正立状態での）は、４本の脚3a〜3dの上端部と結合されている。なお、４本の脚3a〜3dは、上記の補強フレーム２における放射状部2c〜2fに、各脚3a〜3dの上端側を水平に曲げたほぼ逆Ｌ字状の脚部材を接合して形成してもよい。
上記の放射状部2c〜2fを備えた補強フレーム２と４本の脚3a〜3dは、ここではパイプ材（丸，角のいずれでも可）を用いたが、本発明における上記フレーム２や脚3a〜3dはパイプ材に限られるものではなく、アングル材のような材料や中実材を用いることもできる。また、各脚3a〜3dの下端にはキャスタ４が設けてもよいが、図示した例では後方の脚3c，3dのみに設けられている。
【００１４】
なお、図１において、５は補強フレーム２の各放射状部2c〜2fと、４本の脚3a〜3dとのそれぞれを接合すると共に、これらの各部材を天板１の裏面に固定するための固定金具で、5aは当該金具５に設けた取付け用の翼片である。
また、図１において、６は補強フレーム２における放射状部2c〜2fの前端側の下面、乃至は、各脚3a〜3cの上端側で曲げた水平部の下面に取付けたゴム系乃至プラスチック系などの緩衝パッドで、テーブルをスタックしたときに上位天板１の裏面の最も出張った部分（補強フレーム２など）が、下位天板１の表面を傷付けたりしないようにするためのものである。このパッド６の位置は、下位天板１の上で上位に来る天板１を接触状態で引きずるように扱うときがあっても、下位天板を傷付けることがないように、補強フレーム２の適宜部位、例えば、中間部などに設けることがある。さらに、補強フレーム２の平面形態は、図示した例の梯子型に限られるものではなく、田の字状や井桁状など、任意形態を選択することができる。緩衝パッド６の材質は、上記例のほか布や皮などであってもよい。
【００１５】
以上により、本発明を適用したテーブルの一例を構成する。
本発明テーブルは、天板１の左右側辺1c，1dが、略短冊状にカットした窪み1e，1fを備えていると共に、上位の長辺1aの両端には、突出部1g，1hとして短冊状にカットされなかった部分が残っているので、一例としてこの天板１をもつテーブルを図５に示すように、互に天板１の前後を逆にして並べると、上記窪み1e，1fと突出部1g，1hによって、互の天板１の側端に貫通穴７が形成されるから、この穴７が天板１の下方から天板上へ電源配線や信号配線などのケーブルを挿通する上で、至って便宜である。
【００１６】
また、本発明テーブルは、図１の底面図、図２の正面図で判るように、天板１において、前方の脚3a，3bと後方の脚3c，3dの脚間距離に差異がある。これは、天板１の前端辺1aと後端辺1bの長さが、窪み1e，1fが存在することによって異なり、かつ、各脚3a〜3dは、この天板１の裏面のほぼ四隅に位置付けられているためである。そして、本発明テーブルの４本の脚3a〜3dは天板１の外周縁の内側に位置している。
【００１７】
上記の本発明テーブルをスタックするには、一例として上位にスタックする天板１の幅広の前端辺1a側を持上げた状態で、下位の本発明テーブルの天板１の幅狭の後端辺1bの後方側から手前に引き寄せ、スタックする上位天板１の前方の脚3a，3bが、下位の天板１の窪み1e，1fの前端部（つまり、下位天板１の突出部1g，1h）に当接したところで、持上げていた上位の天板１を降すと、図４に例示するスタッキング状態になる。
【００１８】
このようにして、順次、同じテーブルをスタックすると、各天板１の前端辺1a側の各脚3a，3bは、正面から見ると前後方向で完全に重なった状態になり、また、各天板１の後端辺1bの側にある各脚3c，3dも、前後方向で完全に重なった状態になって、見映えが良好である。そして、このスタッキング状態において各天板１の脚3a，3b、同3c，3dは、各天板１の外にはみ出すことなく位置付けられるので、見た目も優れたスタッキング状態を実現する。
【産業上の利用可能性】
【００１９】
本発明は以上の通りであって、天板と該天板を支持した４本の脚を備えたテーブルにおいて、天板の左右側辺に平面から見て窪んだ部位を形成して、当該天板の左右幅を、その天板の前端辺側と後端辺側で差異を持つように形成すると共に、当該天板下面の四隅部に脚を位置付けて設けてテーブルを形成し、このテーブルをスタックするとき、上位のテーブルの天板の幅広側に位置した脚を下位のテーブルの幅狭側に位置した窪んだ部位の前端近傍に位置付けるようにしてスタッキングできるテーブルを形成したので、天板の正面幅の外に脚を突出させることなく各テーブルをスタッキングすることができる。また、各テーブルを横に並べて使用するとき、隣接する天板同士の前後の向きを互に逆にすることにより、隣接した天板同士の間に、配線などを通すための貫通穴が形成されるので、天板上でパソコンなどを使用する会議などの業務において、当該パソコン等の配線を見映えよく処理することができるという、従来のスタッキングできるテーブルにはない利点がある。
【図面の簡単な説明】
【００２０】
【図１】本発明テーブルの一例における底面図。
【図２】図１のテーブルの背面（後面）図。
【図３】図２の右側面図。
【図４】スタッキング状態の一例の斜視図。
【図５】隣接した天板同士の当接部に形成される配線などを通す貫通穴の一例を示す斜視図。
【符号の説明】
【００２１】
１        天板
1a        前端辺
1b        後端辺
1c，1d    左右の側辺
1e，1f    左右側辺の窪み
1g，1h    左右側辺の突出部
２        補強フレーム
3a〜3d    天板四隅の脚
４        キャスタ
５        取付金具
６        緩衝パッド
７        貫通穴
【図１】
2008086671.tif 000003
【図２】
2008086671.tif 000004
【図３】
2008086671.tif 000005
【図４】
2008086671.tif 000006
【図５】
2008086671.tif 000007